(57)【要約】【課題】画像中の拡大対象として所望する範囲を簡単に指定して、該当する範囲を拡大して投影する。【解決手段】制御部３９は、本体メインキー／インジケータ１５に設けられた２点ズームキー１５ｂの操作により、投影された画像に対して２点の位置が指定されると、この指定された２点を対角の頂点とする矩形枠を設定する。制御部３９は、この設定された矩形枠の画像を拡大する基準とする辺、例えば拡大率が小さい辺を基準として判別し、この判別された辺の長さと画像全体のサイズとに基づいて矩形枠内の画像を拡大して投影する。【選択図】      図１
2006163360.tif 000002
【特許請求の範囲】
【請求項１】
画像を投影する投影装置において、
投影された画像に対して特定の領域を指定する領域指定手段と、
前記領域指定手段により指定された領域内の画像を拡大する基準とする長さを判別する判別手段と、
前記判別手段により判別された基準とする長さと画像全体のサイズとに基づいて、前記領域内の画像を拡大する画像拡大手段と、
前記画像拡大手段により拡大された画像を投影する拡大画像投影手段と
を具備したことを特徴とする投影装置。
【請求項２】
前記領域指定手段は、複数点の位置によって指定されることを特徴とする請求項１記載の投影装置。
【請求項３】
画像を投影する投影装置において、
投影された画像に対して２点の位置を指定する位置指定手段と、
前記位置指定手段によって指定された２点を対角の頂点とする矩形枠を設定する設定手段と、
前記設定手段によって設定された矩形枠の画像を拡大する基準とする辺を判別する判別手段と、
前記判別手段により判別された辺の長さと画像全体のサイズとに基づいて、前記矩形枠内の画像を拡大する画像拡大手段と、
前記画像拡大手段により拡大された画像を投影する拡大画像投影手段と
を具備したことを特徴とする投影装置。
【請求項４】
前記判別手段は、前記画像拡大手段により画像を拡大する際の拡大率が小さくなる辺を基準として判別することを特徴とする請求項１または請求項３記載の投影装置。
【請求項５】
前記画像拡大手段により画像を拡大する際の基準とする辺を何れにするかを設定する基準設定手段を有し、
前記判別手段は、前記基準設定手段により設定された辺を拡大する基準として判別することを特徴とする請求項１または請求項３記載の投影装置。
【請求項６】
前記位置指定手段は、
第１の点の位置を指定する第１指定手段と、
前記第１指定手段により指定された前記第１の点の位置を確定する第１確定手段と、
第２の点の位置を指定する第２指定手段と、
前記第２指定手段により指定された前記第２の点の位置を確定する第２確定手段とを有し、
前記第１確定手段と前記第２確定手段により前記第１の点と前記第２の点の両方が確定された時の２点を指定位置とすることを特徴とする請求項３記載の投影装置。
【請求項７】
前記領域指定手段は、
投影された画像に対するレーザ光によって指定された軌跡を検出する軌跡検出手段と、
前記軌跡検出手段により検出された軌跡をもとに前記特定の領域を判別する領域判別手段とを有する特徴とする請求項１記載の投影装置。
【請求項８】
投影された画像を撮像する撮像手段を備え、
前記軌跡検出手段は、前記撮像手段により撮影された画像から前記レーザ光により指定された軌跡を検出することを特徴とする請求項７記載の投影装置。
【請求項９】
前記位置指定手段は、投影された画像に対するレーザ光によって指示された２点の位置を指定することを特徴とする請求項３記載の投影装置。
【請求項１０】
投影された画像を撮像する撮像手段を備え、
前記位置指定手段は、前記撮像手段により撮影された画像から前記レーザ光により指定された２点の位置を検出することを特徴とする請求項９記載の投影装置。
【請求項１１】
画像を投影する投影方法において、
投影された画像に対して特定の領域を指定する領域指定ステップと、
前記領域指定ステップにより指定された領域内の画像を拡大する基準とする長さを判別する判別ステップと、
前記判別ステップにより判別された基準とする長さと画像全体のサイズとに基づいて、前記領域内の画像を拡大する画像拡大ステップと、
前記画像拡大ステップにより拡大された画像を投影する拡大画像投影ステップと
を有することを特徴とする投影方法。
【請求項１２】
画像を投影する投影方法において、
投影された画像に対して２点の位置を指定する位置指定ステップと、
前記位置指定ステップによって指定された２点を対角の頂点とする矩形枠を設定する設定ステップと、
前記設定ステップによって設定された矩形枠の画像を拡大する基準とする辺を判別する判別ステップと、
前記判別ステップにより判別された辺の長さと画像全体のサイズとに基づいて、前記矩形枠内の画像を拡大する画像拡大ステップと、
前記画像拡大ステップにより拡大された画像を投影する拡大画像投影ステップと
を有することを特徴とする投影方法。
【請求項１３】
画像を投影する投影装置に搭載されたコンピュータを、
投影された画像に対して特定の領域を指定する領域指定手段と、
前記領域指定手段により指定された領域内の画像を拡大する基準とする長さを判別する判別手段と、
前記判別手段により判別された基準とする長さと画像全体のサイズとに基づいて、前記領域内の画像を拡大する画像拡大手段と、
前記画像拡大手段により拡大された画像を投影する拡大画像投影手段として機能させるための投影制御プログラム。
【請求項１４】
画像を投影する投影装置に搭載されたコンピュータを、
投影された画像に対して２点の位置を指定する位置指定手段と、
前記位置指定手段によって指定された２点を対角の頂点とする矩形枠を設定する設定手段と、
前記設定手段によって設定された矩形枠の画像を拡大する基準とする辺を判別する判別手段と、
前記判別手段により判別された辺の長さと画像全体のサイズとに基づいて、前記矩形枠内の画像を拡大する画像拡大手段と、
前記画像拡大手段により拡大された画像を投影する拡大画像投影手段として機能させるための投影制御プログラム。
【発明の詳細な説明】
【技術分野】
【０００１】
本発明は、プロジェクタなどの画像を投影する投影装置に関する。
【背景技術】
【０００２】
従来、プロジェクタ（投影装置）では、スクリーンに投影される画像の画像信号に対してデジタルズームの画像処理を施すことにより、画像を拡大して投影することができる。
【０００３】
例えば、従来のプロジェクタにおける画像のデジタルズームでは、画像中の拡大の中心とする位置にターゲットスコープを表示し、そのターゲットスコープの座標を中心にして画像の拡大を実行する。
【０００４】
また、画像中にガイダンス枠を表示し、このガイダンス枠を拡大、縮小、移動表示させて拡大の対象とする領域を指定し、画像の拡大を実行する方法もある（特許文献１）。
【特許文献１】特開２００４−８６２７７号公報
【発明の開示】
【発明が解決しようとする課題】
【０００５】
しかしながら、ターゲットスコープを中心に画像を拡大する画像処理では、例えば画像中の一部分を画面一杯に表示しようとした場合に、所望する領域の画像が画面全体に収まるように、何度か拡大を繰り返して実行しなければならなかった。
【０００６】
また、特許文献１では、ガイダンス枠を拡大縮小して領域を指定することが可能であるものの、予め決められた形状のガイダンス枠を用いて領域を指定しなければならなかった。従って、所望の領域を指定するためには、ガイダンス枠の大きさと位置の調整を繰り返して行わなければならなかった。
【０００７】
本発明の課題は、画像中の拡大対象として所望する範囲を簡単に指定して、該当する範囲を拡大して投影することが可能な投影装置、投影方法、投影制御プログラムを提供することにある。
【課題を解決するための手段】
【０００８】
請求項１記載の発明は、画像を投影する投影装置において、投影された画像に対して特定の領域を指定する領域指定手段と、前記領域指定手段により指定された領域内の画像を拡大する基準とする長さを判別する判別手段と、前記判別手段により判別された基準とする長さと画像全体のサイズとに基づいて、前記領域内の画像を拡大する画像拡大手段と、前記画像拡大手段により拡大された画像を投影する拡大画像投影手段とを具備したことを特徴とする。
【０００９】
請求項２記載の発明は、請求項１記載の発明において、前記領域指定手段は、複数点の位置によって指定されることを特徴とする。
【００１０】
請求項３記載の発明は、画像を投影する投影装置において、投影された画像に対して２点の位置を指定する位置指定手段と、前記位置指定手段によって指定された２点を対角の頂点とする矩形枠を設定する設定手段と、前記設定手段によって設定された矩形枠の画像を拡大する基準とする辺を判別する判別手段と、前記判別手段により判別された辺の長さと画像全体のサイズとに基づいて、前記矩形枠内の画像を拡大する画像拡大手段と、前記画像拡大手段により拡大された画像を投影する拡大画像投影手段とを具備したことを特徴とする。
【００１１】
請求項４記載の発明は、請求項１または請求項３記載の発明において、前記判別手段は、前記画像拡大手段により画像を拡大する際の拡大率が小さくなる辺を基準として判別することを特徴とする。
【００１２】
請求項５記載の発明は、請求項１または請求項３記載の発明において、前記画像拡大手段により画像を拡大する際の基準とする辺を何れにするかを設定する基準設定手段を有し、前記判別手段は、前記基準設定手段により設定された辺を拡大する基準として判別することを特徴とする。
【００１３】
請求項６記載の発明は、請求項１記載の発明において、前記位置指定手段は、第１の点の位置を指定する第１指定手段と、前記第１指定手段により指定された前記第１の点の位置を確定する第１確定手段と、第２の点の位置を指定する第２指定手段と、前記第２指定手段により指定された前記第２の点の位置を確定する第２確定手段とを有し、前記第１確定手段と前記第２確定手段により前記第１の点と前記第２の点の両方が確定された時の２点を指定位置とすることを特徴とする。
【００１４】
請求項７記載の発明は、請求項１記載の発明において、前記領域指定手段は、投影された画像に対するレーザ光によって指定された軌跡を検出する軌跡検出手段と、前記軌跡検出手段により検出された軌跡をもとに前記特定の領域を判別する領域判別手段とを有する特徴とする。
【００１５】
請求項８記載の発明は、請求項７記載の発明において、投影された画像を撮像する撮像手段を備え、前記軌跡検出手段は、前記撮像手段により撮影された画像から前記レーザ光により指定された軌跡を検出することを特徴とする。
【００１６】
請求項９記載の発明は、請求項３記載の発明において、前記位置指定手段は、投影された画像に対するレーザ光によって指示された２点の位置を指定することを特徴とする。
【００１７】
請求項１０記載の発明は、請求項９記載の発明において、投影された画像を撮像する撮像手段を備え、前記位置指定手段は、前記撮像手段により撮影された画像から前記レーザ光により指定された２点の位置を検出することを特徴とする。
【００１８】
請求項１１記載の発明は、画像を投影する投影方法において、投影された画像に対して特定の領域を指定する領域指定ステップと、前記領域指定ステップにより指定された領域内の画像を拡大する基準とする長さを判別する判別ステップと、前記判別ステップにより判別された基準とする長さと画像全体のサイズとに基づいて、前記領域内の画像を拡大する画像拡大ステップと、前記画像拡大ステップにより拡大された画像を投影する拡大画像投影ステップとを有することを特徴とする。
【００１９】
請求項１２記載の発明は、画像を投影する投影方法において、投影された画像に対して２点の位置を指定する位置指定ステップと、前記位置指定ステップによって指定された２点を対角の頂点とする矩形枠を設定する設定ステップと、前記設定ステップによって設定された矩形枠の画像を拡大する基準とする辺を判別する判別ステップと、前記判別ステップにより判別された辺の長さと画像全体のサイズとに基づいて、前記矩形枠内の画像を拡大する画像拡大ステップと、前記画像拡大ステップにより拡大された画像を投影する拡大画像投影ステップとを有することを特徴とする。
【００２０】
請求項１３記載の発明は、画像を投影する投影装置に搭載されたコンピュータを、投影された画像に対して特定の領域を指定する領域指定手段と、前記領域指定手段により指定された領域内の画像を拡大する基準とする長さを判別する判別手段と、前記判別手段により判別された基準とする長さと画像全体のサイズとに基づいて、前記領域内の画像を拡大する画像拡大手段と、前記画像拡大手段により拡大された画像を投影する拡大画像投影手段として機能させることを特徴とする。
【００２１】
請求項１４記載の発明は、画像を投影する投影装置に搭載されたコンピュータを、投影された画像に対して２点の位置を指定する位置指定手段と、前記位置指定手段によって指定された２点を対角の頂点とする矩形枠を設定する設定手段と、前記設定手段によって設定された矩形枠の画像を拡大する基準とする辺を判別する判別手段と、前記判別手段により判別された辺の長さと画像全体のサイズとに基づいて、前記矩形枠内の画像を拡大する画像拡大手段と、前記画像拡大手段により拡大された画像を投影する拡大画像投影手段として機能させることを特徴とする。
【発明の効果】
【００２２】
請求項１，１１，１３記載の発明によれば、投影された画像中の拡大（ズーム）対象とする範囲を示す領域を指定することで設定し、その領域内の画像を拡大する基準とする長さを判別し、その長さと画像全体のサイズとに基づいて拡大するので、ユーザは画像全体の中で特定の範囲を拡大しようとする場合に、画像中の拡大対象として所望する範囲を簡単に直接的に指定して、該当する範囲の画像を拡大して投影することが可能となる。
【００２３】
請求項２記載の発明によれば、請求項１の発明の効果に加えて、拡大対象とする領域を複数点の位置によって指定することができる。
【００２４】
請求項３，１２，１４記載の発明によれば、投影された画像中の拡大（ズーム）対象とする範囲を示す矩形枠を、ユーザからの要求に応じて２点を指定することで設定し、その矩形枠内の画像を矩形の何れかの辺と画像全体のサイズとに基づいて拡大するので、ユーザは画像全体の中で特定の範囲を拡大しようとする場合に、単に２点を決めるだけの作業をするだけで良いので、画像中の拡大対象として所望する範囲を簡単に直接的に指定して、該当する範囲の画像を拡大して投影することが可能となる。
【００２５】
請求項４記載の発明によれば、請求項１または請求項３の発明の効果に加えて、画像を拡大する際の拡大率が小さくなる辺を基準として、この辺の長さと画像全体のサイズとに基づいて矩形枠で指定された範囲の画像を拡大することで、拡大された画像全体を含むようにして投影することができる。
【００２６】
請求項５記載の発明によれば、請求項１または請求項３の発明の効果に加えて、画像を拡大する際の基準とする辺を、例えば画像を拡大する際の拡大率が小さくなる辺、あるいは拡大率が大きくなる辺の何れにするかを予め設定できるようにすることで、ユーザが所望する形態、例えば拡大された画像全体が投影されるようにする、あるいは矩形枠内の一部範囲が投影されないが中央部の画像が拡大されて投影されるようにするといった切り替えが可能となる。
【００２７】
請求項６記載の発明によれば、請求項３の発明の効果に加えて、拡大対象とする画像範囲を示す矩形枠を定義する２点を個々に指定することができるので、点位置を簡単に調整して、拡大対象とする所望の画像範囲を指定することができる。
【００２８】
請求項７記載の発明によれば、請求項１の発明の効果に加えて、投影された画像に対する、例えばレーザポインタなどの装置本体とは独立したデバイスからのレーザ光により指定される軌跡を検出して、拡大対象とする画像範囲を示す領域を設定することができる。
【００２９】
請求項８記載の発明によれば、請求項７の発明の効果に加えて、投影された画像に対するレーザ光により指定される軌跡は、撮影された画像に対する画像処理によって検出することができる。
【００３０】
請求項９記載の発明によれば、請求項３の発明の効果に加えて、投影された画像に対する位置の指定を光、例えばレーザポインタによりする場合においても、このレーザポインタにより指示された位置を検出して、拡大対象とする画像範囲を示す矩形枠を設定することができる。
【００３１】
請求項１０記載の発明によれば、請求項９の発明の効果に加えて、投影された画像を撮像することで指定された２点の位置を検出するので、例えばレーザポインタなどの装置本体とは独立した位置指示手段（デバイス）により位置が指定される場合であっても、指定位置を検出することができる。
【発明を実施するための最良の形態】
【００３２】
以下、図面を参照して本発明の実施の形態について説明する。  
図１は、本実施形態におけるプロジェクタ装置１０の外観構成を示す図である。本実施形態におけるプロジェクタ装置１０は、投影対象とする画像（映像）の信号を他の機器（パーソナルコンピュータなど）から入力してスクリーンに投影し、この投影された画像に対して任意に２点を指定することで、この２点により定義される範囲内の画像を拡大して投影することができる。
【００３３】
図１（Ａ）に示すように、直方体状の本体ケーシング１１の前面に、投影レンズ１２、撮影レンズ１３、及びＩｒ受信部１４が配設される。
【００３４】
投影レンズ１２は、後述するマイクロミラー素子等の空間的光変調素子で形成された光像を投影するためのものであり、ここでは合焦位置及びズーム位置（投影画角）を任意に可変できるものとする。
【００３５】
撮影レンズ１３は、投影レンズ１２を通じて投影された画像を撮影するためのものである。
【００３６】
Ｉｒ受信部１４は、図示しないこのプロジェクタ装置１０のリモートコントローラからのキー操作信号が重畳された赤外光を受信する。  
また、本体ケーシング１１の上面には、本体メインキー／インジケータ１５、スピーカ１６、及びカバー１７が配設される。
【００３７】
本体メインキー／インジケータ１５の詳細については後述する。  
スピーカ１６は、動画の再生時等の音声を拡声出力する。  
カバー１７は、ここでは図示しないサブキーを操作する際に開閉する。該サブキーは、図示しないこのプロジェクタ装置１０のリモートコントローラを使用せずに、本体メインキー／インジケータ１５のキーでは設定指示できない詳細な各種動作等を操作する。
【００３８】
さらに、図１（Ｂ）に示すように本体ケーシング１１の背面には、入出力コネクタ部１８、Ｉｒ受信部１９、及びＡＣアダプタ接続部２０が配設される。  
入出力コネクタ部１８は、例えばパーソナルコンピュータ等の外部機器との接続のためのＵＳＢ端子、映像入力用のミニＤ−ＳＵＢ端子、Ｓ端子、及びＲＣＡ端子と、音声入力用のステレオミニ端子等からなる。
【００３９】
Ｉｒ受信部１９は、Ｉｒ受信部１４と同様に、図示しないリモートコントローラからのキー操作信号が重畳された赤外光を受信する。  
ＡＣアダプタ接続部２０は、電源となる図示しないＡＣアダプタからのケーブルを接続する。
【００４０】
加えて、本体ケーシング１１の下面には、背面側に一対の固定脚部２１，２１が取り付けられると共に、前面側に高さ調節が可能な調整脚部２２が取り付けられる。調整脚部２２は、ねじ回転により伸縮が可能となっており、伸縮させることにより、投影レンズ１２の投影方向の鉛直方向成分、すなわち仰角を調整することができる。
【００４１】
次に、図２（ａ）により本体メインキー／インジケータ１５の詳細な配置構成を例示する。本体メインキー／インジケータ１５には、電源（ｐｏｗｅｒ）キー１５ａ、２点ズーム（Ｚｏｏｍ）キー１５ｂ、フォーカス（Ｆｏｃｕｓ）キー１５ｃ、「ＡＦＫ」キー１５ｄ、「Ｉｎｐｕｔ」キー１５ｅ、「Ａｕｔｏ」キー１５ｆ、「ｍｅｎｕ」キー１５ｇ、「Ｋｅｙｓｔｏｎｅ」キー１５ｈ、「ＨＥＬＰ」キー１５ｉ、「Ｅｓｃ」キー１５ｊ、「アップ（↑）」キー１５ｋ、「ダウン（↓）」キー１５ｌ、「レフト（←）」キー１５ｍ、「ライト（→）」キー１５ｎ、及び「Ｅｎｔｅｒ」キー１５ｏと、電源／待機（ｐｏｗｅｒ／ｓｔａｎｄｂｙ）インジケータ１５ｐ、及び温度（ＴＥＭＰ）インジケータ１５ｑを備える。
【００４２】
電源キー１５ａは、電源のオン／オフを指示する。  
２点ズームキー１５ｂは、スクリーンに投影された画像中の拡大（ズームアップ）する範囲を定義する２点（ターゲットポインタ１，２）を指示し、この２点に応じた拡大処理の実行を指示する。
【００４３】
フォーカスキー１５ｃは、「△」「▽」の操作により合焦位置の前方向及び後方向への移動を指示する。  
「ＡＦＫ」キー１５ｄは、自動合焦（Automatic Focus）と自動台形補正（Automatic Keystone correction）の即時実行を指示する。
【００４４】
「Ｉｎｐｕｔ」キー１５ｅは、入出力コネクタ部１８の何れかに入力される画像信号の手動切換えを指示し、「Ａｕｔｏ」キー１５ｆは、同入出力コネクタ部１８の何れかに入力される画像信号の自動切換えを指示する。
【００４５】
「ｍｅｎｕ」キー１５ｇは、投影動作に関する各種メニュー項目の表示を指示し、「Ｋｅｙｓｔｏｎｅ」キー１５ｈは、台形補正の手動操作を指示する。  
「ＨＥＬＰ」キー１５ｉは、指示操作が不明な場合の各種ヘルプ情報の表示を指示し、「Ｅｓｃ」キー１５ｊはその時点での操作の解除を指示する。
【００４６】
「アップ」キー１５ｋ、「ダウン」キー１５ｌ、「レフト」キー１５ｍ、及び「ライト」キー１５ｎは、いわゆるカーソルキーであり、メニュー項目や手動台形補正方向、ターゲットポインタやカーソル等その時点で選択または移動方向を指示する場合に応じて操作する。
【００４７】
電源／待機インジケータ１５ｐは、電源のオン／オフ状態と画像信号の入力がない状態を例えば緑色と赤色のＬＥＤの点灯／消灯あるいは点滅により表示する。  
温度インジケータ１５ｑは、画像投影の光源となるランプの温度が投影に適した状態となっているか否かを例えば緑色と赤色のＬＥＤの点灯／消灯あるいは点滅により表示する。
【００４８】
なお、図２（ｂ）は、第２実施形態における２点ズームキー１５ｂを示すもので、画像中の拡大（ズームアップ）する範囲を定義する２点（ターゲットポインタ１，２）の位置を指定するためのそれぞれに対応するポインタ１キー１５ｂ１、ポインタ２キー１５ｂ２が設けられている。
【００４９】
次に、図３を用いてプロジェクタ装置１０の電子回路の機能構成について説明する。図３において、入出力コネクタ部１８より入力された各種規格の画像信号が、入出力インタフェース（Ｉ／Ｆ）３１、システムバスＳＢを介して画像処理部３２で所定のフォーマットの画像信号に統一された後に、表示エンコーダ３３へ送られる。
【００５０】
また、画像処理部３２は、本体メインキー／インジケータ１５に設けられたキーに対する操作により画像処理の実行が指示された場合に、この指示に応じた画像処理を画像信号に対して実行する。例えば、画像処理部３２には、２点ズームキー１５ｂに対する操作により画像に対して指示される２点の位置に応じて、画像を拡大（ズーム）するズーム処理部３２ａが設けられている。その他、画像処理部３２は、「ＡＦＫ」キー１５ｄに対する操作による台形補正などの画像処理なども実行する。
【００５１】
表示エンコーダ３３は、送られてきた画像信号をビデオＲＡＭ３４に展開記憶させた上でこのビデオＲＡＭ３４の記憶内容からビデオ信号を発生して表示駆動部３５に出力する。
【００５２】
表示駆動部３５は、送られてきた画像信号に対応して適宜フレームレート、例えば３０［フレーム／秒］で空間的光変調素子（ＳＯＭ）３６を表示駆動するもので、この空間的光変調素子３６に対して、例えば超高圧水銀灯等の光源ランプ３７が出射する高輝度の白色光を照射することで、その反射光で光像が形成され、投影レンズ１２を介して図示しないスクリーンに投影表示される。
【００５３】
しかるに、投影レンズ１２は、ズーム駆動部３８によりレンズモータ（Ｍ）が駆動されることでズーム位置及びフォーカス位置を適宜移動する。  
制御部３９は、各回路のすべての動作制御を司るもので、コンピュータに相当する機能を有している。制御部３９は、ＣＰＵと、該ＣＰＵで実行される動作プログラムを固定的に記憶したＲＯＭ、及びワークメモリとして使用されるＲＡＭ等により構成される。制御部３９は、ＲＯＭに記憶された投影制御プログラムを実行することで、後述する画像拡大を含む画像投影動作を制御する。
【００５４】
また、制御部３９には、システムバスＳＢを介して画像記憶部４０、音声処理部４１、撮影部４２、通信部４３が接続される。  
画像記憶部４０は、例えばフラッシュメモリ等でなり、後述する映像調整メニューやユーザロゴ画像の画像データを記憶するもので、制御部３９に指示された画像データを適宜読出して表示エンコーダ３３へ送出し、それらの画像を投影レンズ１２により投影表示させる。
【００５５】
音声処理部４１は、ＰＣＭ音源等の音源回路を備え、投影表示動作時に与えられる音声データをアナログ化し、スピーカ１６を駆動して拡声放音させる。  
撮影部４２は、撮影レンズ１３を通じてスクリーンに投影された画像を撮影し、この撮影された画像から後述するレーザポインタ５０によって指定されたポイントを検出する（第３実施形態）。
【００５６】
通信部４３は、近距離無線通信を制御するもので、後述するレーザポインタ５０との間で通信を実行する。通信部４３は、レーザポインタ５０（後述する）から、レーザ光によりスクリーン上で指定している位置の検出要求を受信する。
【００５７】
なお、図示していないが、プロジェクタ装置１０には、設置状態が変更される時の振動を検知する検知部（加速度センサ）、自動合焦や自動台形補正の際に必要となる画像が投影されるスクリーンまでの距離を測定する側距処理部、プロジェクタ装置１０が設置された周囲の照度を検知する照度検知部などが設けられている。
【００５８】
なお、本体メインキー／インジケータ１５とカバー１７内に備えられる本体サブキーによりキー／インジケータ部４５を構成し、このキー／インジケータ部４５におけるキー操作信号が直接制御部３９に入力され、また制御部３９は電源／待機インジケータ１５ｐ及び温度インジケータ１５ｑを直接点灯／点滅駆動する一方で、Ｉｒ受信部１４及びＩｒ受信部１９での赤外光受信信号も直接制御部３９に入力される。
【００５９】
また、図３には、プロジェクタ装置１０によりスクリーンに投影された画像中の任意の点をレーザ光により指示することができるレーザポインタ５０の構成を示している。なお、レーザポインタ５０は、後述する第３実施形態において、スクリーンに投影された画像中で任意の位置を指定する場合に使用される。
【００６０】
レーザポインタ５０には、ボタン５１、制御部５２、入力制御部５３、レーザ光出力部５４、及び通信部５５が設けられている
ボタン５１は、レーザ光の出力を指示するために操作される第１ボタンと、確定を指示するための第２ボタンが含まれているものとする。第１ボタンは、２段階で押下操作が可能な構成されているものとする。例えば、第１段階のレベルでの押下（半押し）でレーザ光の出力を指示し、第２段階のレベルでの押下（全押し）で、さらにレーザ光により指示されたスクリーン上の位置検出を指示するものとする。
【００６１】
制御部５２は、レーザポインタ５０の制御を司るもので、ボタン５１に対する入力操作の状態を入力制御部５３を取得し、レーザ光出力部５４によるレーザ光の出力、通信部５５によるプロジェクタ装置１０との通信なとの制御を行う。
【００６２】
入力制御部５３は、ボタン５１に対する操作を検出するもので、第１ボタンについては第１段階のレベルでの押下（半押し）と第２段階のレベルでの押下（全押し）とを検出して制御部５２に通知する。
【００６３】
レーザ光出力部５４は、制御部５２の制御のもとで、ボタン５１が第１段階のレベルで押下（半押し）された場合にレーザ光を照射する。
【００６４】
通信部５５は、制御部５２の制御のもとでプロジェクタ装置１０との通信を制御するもので、ボタン５１が全押しされることで、プロジェクタ装置１０に対してレーザ光出力部５４から出力されたレーザ光により指示された位置の検出要求を送信する。また、第２ボタンが押下されることで、プロジェクタ装置１０に対して確定指示を送信する。
【００６５】
（第１実施形態）  
次に、第１実施形態におけるプロジェクタ装置１０の動作について、図４に示すフローチャートを参照しながら説明する。
【００６６】
プロジェクタ装置１０は、例えばパーソナルコンピュータから入出力コネクタ部１８を介して画像信号を入力し、この画像信号に応じた画像をスクリーンに投影させているものとする。また、リモートコントローラにも本体と同様のキーを備えており、リモートコントローラからも同様の操作が行えるものとする。
【００６７】
ここで、２点ズームキー１５ｂが操作されると（ステップＡ１）、制御部３９は、投影されている画像の初期設定されている位置にターゲットポインタ１を表示させる（ステップＡ２）。
【００６８】
例えば、拡大範囲を示す矩形枠は、左上と右下の対角の頂点の２点によって定義されるものとし、ターゲットポインタ１に対して初期設定されている位置としては、矩形枠の左上の頂点位置を決めやすいように、画像全体の左上１／４の領域の何れかに設定されているものとする。
【００６９】
ここで、カーソルキー（「アップ」キー１５ｋ、「ダウン」キー１５ｌ、「レフト」キー１５ｍ、「ライト」キー１５ｎ）がユーザによって操作された場合、制御部３９は、操作されたキーに応じて、ターゲットポインタ１の位置を移動させる（ステップＡ３）。ここでは、拡大対象とする範囲を決めるために、ターゲットポインタ１の位置を任意に調整することができる。
【００７０】
ターゲットポインタ１に対して位置の調整がされた後、「Ｅｎｔｅｒ」キー１５ｏが操作されると（ステップＡ４、Ｙｅｓ）、制御部３９は、この時のターゲットポインタ１の座標（Ｘ１，Ｙ１）をメモリに格納して、ターゲットポインタ１の位置を決定する（ステップＡ５）。
【００７１】
次に、制御部３９は、投影されている画像の初期設定されている位置にターゲットポインタ２を表示させる（ステップＡ６）。ターゲットポインタ２に対して初期設定されている位置としては、矩形枠の右下の頂点位置を決めやすいように、画像全体の右下１／４の領域の何れかに設定されているものとする。
【００７２】
ここでは、ターゲットポインタ１の場合と同様にして、カーソルキー（「アップ」キー１５ｋ、「ダウン」キー１５ｌ、「レフト」キー１５ｍ、「ライト」キー１５ｎ）がユーザによって操作された場合、制御部３９は、操作されたキーに応じて、ターゲットポインタ２の位置を移動させる（ステップＡ７）。ここでは、拡大対象とする範囲を決めるために、ターゲットポインタ２の位置を任意に調整することができる。
【００７３】
図５には、スクリーンに投影された画像に対してターゲットポインタ１，２を指定することにより画像を拡大（ズーム）する場合の例を示している。
【００７４】
図５（ａ）では、ターゲットポインタ１，２が指定されることで、この２点により定義される矩形枠が設定された状態を示している。制御部３９は。投影されている画像中にターゲットポインタ１，２を示すマークと矩形枠を付加して、拡大対象とする画像の範囲を容易に把握できるようにしている。この矩形枠は、ターゲットポインタ２の位置が調整されるのに応じて変形される。
【００７５】
図５（ａ）に示すように矩形枠を設定することにより、図５（ｂ）に示すように、矩形枠内の画像を画像全体のサイズ（Ｘ，Ｙ）と一致するように拡大（ズーム）させることができる。これは、２点により定義される矩形枠の縦横比が、画像全体のサイズ（Ｘ，Ｙ）とほぼ同じ縦横比で定義された場合である。
【００７６】
ターゲットポインタ２に対して位置の調整がされた後、「Ｅｎｔｅｒ」キー１５ｏが操作されると（ステップＡ８、Ｙｅｓ）、制御部３９は、この時のターゲットポインタ２の座標（Ｘ２，Ｙ２）をメモリに格納して、ターゲットポインタ２の位置を決定する（ステップＡ９）。
【００７７】
こうして、拡大対象とする画像の範囲を示す２点を指定し、矩形枠を設定することができる。
【００７８】
次に、制御部３９は、メモリに格納された２点の座標（Ｘ１，Ｙ１）（Ｘ２，Ｙ２）をもとに、２点を対角の頂点とする矩形枠におけるＸ軸に平行（水平）な辺の長さＸ３と、Ｙ軸に平行（垂直）な辺の長さＹ３を求める（ステップＡ１０）。
【００７９】
そして、矩形枠の水平な辺と垂直な辺のそれぞれについて、画像全体のサイズに拡大する際の拡大率を算出する。すなわち、水平方向への拡大率Ａ＝Ｘ／Ｘ３、垂直方向への拡大率Ｂ＝Ｙ／Ｙ３を算出する（ステップＡ１１）。
【００８０】
次に、制御部３９は、拡大率Ａと拡大率Ｂとを比較して「Ａ≦Ｂ」であった場合、すなわち水平方向の拡大率Ａが垂直方向の拡大率Ｂ以下であった場合には、画像処理部３２のズーム処理部３２ａにより、ターゲットポインタ１，２が示す矩形枠内の画像に対して、縦横方向とも拡大率が小さい方の拡大率Ａに応じてＡ倍に拡大させる（ステップＡ１３）。
【００８１】
一方、拡大率Ａと拡大率Ｂとを比較した結果、「Ａ≦Ｂ」でなかった場合、すなわち水平方向の拡大率Ａが垂直方向の拡大率Ｂより大きかった場合には、画像処理部３２のズーム処理部３２ａにより、ターゲットポインタ１，２が示す矩形枠内の画像に対して、拡大率が小さい方の拡大率Ｂに応じて縦横方向ともＢ倍に拡大させる（ステップＡ１４）。
【００８２】
そして、制御部３９は、ズーム処理部３２ａにより拡大された画像を、表示エンコーダを通じてビデオＲＡＭ３４で展開記憶させる。これにより、スクリーンには２点により定義された矩形範囲の拡大された画像がスクリーンに投影される（ステップＡ１５）。
【００８３】
図６は、２点により定義される矩形枠の縦横の拡大率の違いを説明するための図である。  
図６（ａ１）は、ターゲットポインタ１，２の指定によって縦長の矩形枠が設定された場合を示している。この場合、垂直方向の拡大率Ｂの方が水平方向への拡大率Ａよりも拡大率が小さくなるため、拡大率Ｂにより矩形枠内の画像に対して拡大処理を実行し、図６（ａ２）に示すように画像を拡大して投影させる。
【００８４】
また、図６（ｂ１）は、ターゲットポインタ１，２の指定によって横長の矩形枠が設定された場合を示している。この場合、水平方向の拡大率Ａの方が垂直方向への拡大率Ｂよりも拡大率が小さくなるため、拡大率Ａにより矩形枠内の画像に対して拡大処理を実行し、図６（ｂ２）に示すように画像を拡大して投影させる。
【００８５】
図６（ａ２）（ｂ２）に示すように、拡大された画像は中央に配置してスクリーンに投影される。この場合、ユーザにより２点で指定された範囲（矩形枠内）の画像全体が投影されることになる。
【００８６】
なお、前述した説明では、拡大対象とする範囲を示す矩形枠の縦横の辺のうち、画像を拡大する際の拡大率が小さくなる辺を基準として、画像を拡大しているが、画像を拡大する際の基準とする辺を、画像を拡大する際の拡大率が小さくなる辺あるいは拡大率が大きくなる辺の何れにするかを予め設定できるようにしても良い。
【００８７】
例えば、「ｍｅｎｕ」キー１５ｇの操作により表示されるメニューから設定処理を起動し、この設定処理において、ユーザからの要求を入力して、画像を拡大する際の拡大率が小さくなる辺あるいは拡大率が大きくなる辺の何れかを設定する。
【００８８】
制御部３９は、この設定に応じて、ステップＡ１２における判別処理を切り替える。すなわち、拡大率が小さくなる辺を基準とする場合には、前述した説明の通り、ステップＡ１２において「Ａ≦Ｂ」を判別し、拡大率が大きくなる辺を基準とする場合には「Ａ＞Ｂ」を判別する。ここで、「Ａ＞Ｂ」の場合には、ターゲットポインタ１，２で指定した矩形枠内の画像を縦横ともＡ倍に拡大する。
【００８９】
図７は、拡大率が大きくなる辺を基準とする場合の画像の拡大を説明するための図である。
【００９０】
図７（ａ１）は、図６（ａ１）と同様に、ターゲットポインタ１，２の指定によって縦長の矩形枠が設定された場合を示している。この場合、水平方向の拡大率Ａの方が垂直方向への拡大率Ｂよりも拡大率が大きくなるため、拡大率Ａにより矩形枠内の画像に対して拡大処理を実行し、図７（ａ２）に示すように画像を拡大して投影させる。
【００９１】
また、図７（ｂ１）は、図６（ｂ１）と同様に、ターゲットポインタ１，２の指定によって横長の矩形枠が設定された場合を示している。この場合、垂直方向の拡大率Ｂの方が水平方向への拡大率Ａよりも拡大率が大きくなるため、拡大率Ｂにより矩形枠内の画像に対して拡大処理を実行し、図７（ｂ２）に示すように画像を拡大して投影させる。
【００９２】
この場合、矩形枠内の画像を拡大すると、画像全体のサイズ（Ｘ，Ｙ）を超えてしまうため、拡大された画像中央の画像全体のサイズ（Ｘ，Ｙ）に該当する範囲を抽出し、拡大画像として投影する。
【００９３】
このように、画像を拡大する際の拡大率が大きくなる辺を基準として、画像を拡大することにより、拡大対象とする範囲を２点で指定する場合に、所望する画像部分を厳密に指定しなくても、その画像部分がほぼ中央に位置するように指定すれば、所望の拡大画像を投影することができる。
【００９４】
なお、前述した説明では、拡大対象とする範囲を示す矩形枠について、ターゲットポインタ１により左上の頂点、ターゲットポインタ２により右下の頂点の位置を示しているが、ターゲットポインタ１の位置を指定した後、ターゲットポインタ２の位置によっては、ターゲットポインタ１により右下の頂点、ターゲットポインタ２により左上の頂点を指定することができる。
【００９５】
（第２実施形態）  
次に、本発明の第２実施形態について説明する。第２実施形態のプロジェクタ装置１０は、本体メインキー／インジケータ１５に、図２（ｂ）に示すような２点ズームキー１５ｂが設けられた構成をしており、第１実施形態において説明したターゲットポインタ１，２を、それぞれに対応して設けられたポインタ１キー１５ｂ１（第１指定手段）、ポインタ２キー１５ｂ２（第２指定手段）の操作によって個別に指定できるようにしている。また、リモートコントローラにも本体と同様のキーを備えており、リモートコントローラからも同様の操作が行えるものとする。
【００９６】
以下、第２実施形態におけるプロジェクタ装置１０の動作について、図８に示すフローチャートを参照しながら説明する。
【００９７】
プロジェクタ装置１０は、例えばパーソナルコンピュータから入出力コネクタ部１８を介して画像信号を入力し、この画像信号に応じた画像をスクリーンに投影させているものとする。
【００９８】
ここで、画像の拡大（ズーム）をする場合、２点ズームキー１５ｂに設けられたポインタ１キー１５ｂ１、ポインタ２キー１５ｂ２の何れかを任意に操作して、ターゲットポインタ１、あるいはターゲットポインタ２の指定操作をすることができる。
【００９９】
例えば、２点ズームキー１５ｂのポインタ１キー１５ｂ１が操作されると（ステップＢ１、ポインタ１）、制御部３９は、ターゲットポインタ２の指定状態を示す変数Ｐ２に対して未指定を示す「０」に設定し（ステップＢ２）、投影されている画像の初期設定されている位置（第１実施形態と同じ）にターゲットポインタ１を点滅表示させる（ステップＢ３）。
【０１００】
ここで、カーソルキー（「アップ」キー１５ｋ、「ダウン」キー１５ｌ、「レフト」キー１５ｍ、「ライト」キー１５ｎ）がユーザによって操作された場合、制御部３９は、操作されたキーに応じて、ターゲットポインタ１の位置を移動させると共に、その移動先の座標（Ｘ１，Ｙ１）をメモリに随時格納する（ステップＢ４）。ここでは、拡大対象とする範囲を決めるために、ターゲットポインタ１の位置を任意に調整することができる。
【０１０１】
また、ターゲットポインタ１の位置の調整途中でポインタ２キー１５ｂ２が操作されると（ステップＢ５、Ｙｅｓ）、制御部３９は、ターゲットポインタ１の指定状態を示す変数Ｐ１に対して未指定を示す「０」に設定し（ステップＢ８）、投影されている画像の初期設定されている位置（第１実施形態と同じ）にターゲットポインタ２を点滅表示させる（ステップＢ９）。
【０１０２】
ここで、カーソルキー（「アップ」キー１５ｋ、「ダウン」キー１５ｌ、「レフト」キー１５ｍ、「ライト」キー１５ｎ）がユーザによって操作された場合、制御部３９は、操作されたキーに応じて、ターゲットポインタ２の位置を移動させると共に、その移動先の座標（Ｘ２，Ｙ２）をメモリに随時格納する（ステップＢ１０）。ここでは、拡大対象とする範囲を決めるために、ターゲットポインタ２の位置を任意に調整することができる。
【０１０３】
また、ターゲットポインタ２の位置の調整途中でポインタ１キー１５ｂ１が操作されると、前述と同様にして、ターゲットポインタ１の位置の調整をすることができる。すなわち、ターゲットポインタ１，２について、ポインタ１キー１５ｂ１、ポインタ２キー１５ｂ２を操作することで、個々に位置の指定をすることができる。
【０１０４】
一方、ターゲットポインタ１に対して位置の調整がされた後（ステップＢ４）、「Ｅｎｔｅｒ」キー１５ｏが操作されると（ステップＢ６、Ｙｅｓ）、制御部３９は、変数Ｐ１に対して指定済みを示す「１」に設定する（ステップＢ７）。ここで、制御部３９は、変数Ｐ２が「１」に設定されているか、すなわちターゲットポインタ１，２の両方について位置が決定されているかを判別する（ステップＢ１９）。ここで、変数Ｐ２が「０」であった場合には、ステップＢ９に移行して、ターゲットポインタ２に対する位置の指定を行う。
【０１０５】
同様にして、ターゲットポインタ２に対して位置の調整がされた後（ステップＢ１０）、「Ｅｎｔｅｒ」キー１５ｏが操作されると（ステップＢ１２、Ｙｅｓ）、制御部３９は、変数Ｐ２に対して指定済みを示す「１」に設定する（ステップＢ１３）。ここで、制御部３９は、変数Ｐ１が「１」に設定されているか、すなわちターゲットポインタ１，２の両方について位置が決定されているかを判別する（ステップＢ１４）。ここで、変数Ｐ１が「０」であった場合には、ステップＢ３に移行して、ターゲットポインタ１に対する位置の指定を行う。
【０１０６】
こうして、変数Ｐ１，Ｐ２がともに「１」となり、ターゲットポインタ１，２の両方について位置が決定されると（ステップＢ１４，Ｂ１９、Ｙｅｓ）、制御部３９は、メモリに格納された２点の座標（Ｘ１，Ｙ１）（Ｘ２，Ｙ２）をもとに、２点を対角の頂点とする矩形枠におけるＸ軸に平行（水平）な辺の長さＸ３と、Ｙ軸に平行（垂直）な辺の長さＹ３を求める（ステップＢ１５）。
【０１０７】
そして、矩形枠の水平な辺と垂直な辺のそれぞれについて、画像全体のサイズに拡大する際の拡大率を算出する。すなわち、水平方向への拡大率Ａ＝Ｘ／Ｘ３、垂直方向への拡大率Ｂ＝Ｙ／Ｙ３を算出する（ステップＢ１６）。
【０１０８】
制御部３９は、画像処理部３２のズーム処理部３２ａにより、ターゲットポインタ１，２が示す矩形枠内の画像に対して、横方向についてはＡ倍、縦方向についてはＢ倍に拡大させる（ステップＢ１７）。
【０１０９】
そして、制御部３９は、ズーム処理部３２ａにより拡大された画像を、表示エンコーダを通じてビデオＲＡＭ３４で展開記憶させる。これにより、スクリーンには２点により定義された矩形範囲の拡大された画像がスクリーンに投影される（ステップＢ１８）。
【０１１０】
このようにして、第２実施形態では、拡大対象とする画像範囲を示す矩形枠を定義するターゲットポインタ１，２を個々に指定することができるので、点位置を簡単に調整して、拡大対象とする所望の画像範囲を指定することができる。
【０１１１】
なお、第２実施形態では、２点ズームキー１５ｂにポインタ１キー１５ｂ１とポインタ２キー１５ｂ２の２つのキーを設けているが、１つのキーをターゲットポインタ１を指定する場合とターゲットポインタ２を指定する場合とに切り替えて使用する構成としても良い。
【０１１２】
また、ステップＢ１７では、縦方向と横方向のそれぞれについて、個別に算出した倍率Ａ，Ｂにより拡大処理を実行しているが、第１実施形態と同様にして、何れか一方の方向で算出された拡大率に応じて画像を拡大するようにしても良い。
【０１１３】
また、前述した第１及び第２実施形態では、本体メインキー／インジケータ１５を用いて、スクリーンに投影された画像に対して位置の指定を行っているが、プロジェクタ装置１０の本体部に、例えば液晶ディスプレイなどのスクリーンに投影された画像が表示される表示装置と、表示装置の表示画面と重ね合わせて一体化したタッチセンサ（タブレット）を設けることで、タッチセンサに対する操作により位置の指定をするように構成しても良い。
【０１１４】
（第３実施形態）  
次に、本発明の第３実施形態について説明する。第１及び第２実施形態では、本体メインキー／インジケータ１５に設けられたキーに対する操作及びリモートコントローラからの操作により、拡大対象とする範囲を示す２点を指定しているが、第３実施形態では、レーザポインタ５０によりスクリーンに投影された画像に対して、直接、レーザ光により拡大対象とする範囲を示す２点の位置を指定する。
【０１１５】
以下、第３実施形態におけるプロジェクタ装置１０の動作について、図９に示すフローチャートを参照しながら説明する。
【０１１６】
プロジェクタ装置１０は、例えばパーソナルコンピュータから入出力コネクタ部１８を介して画像信号を入力し、この画像信号に応じた画像をスクリーンに投影させているものとする。スクリーンに投影された画像に対しては、レーザポインタ５０のボタン５１（第１ボタン）を操作（半押し）することでレーザ光を照射し、任意に位置指定することができる。
【０１１７】
ここで、画像を拡大（ズーム）する場合、レーザ光の照射位置を拡大対象とする画像の範囲を示すように位置決めした状態で、レーザポインタ５０のボタン５１（第１ボタン）を全押し操作する。この場合、レーザポインタ５０の制御部５２は、入力制御部５３から第１ボタンの全押し操作が通知され、これに応じてプロジェクタ装置１０に対してレーザ光出力部５４から出力されたレーザ光により指示された位置の検出要求（ポインタ検出要求）を通信部５５から送信させる。
【０１１８】
プロジェクタ装置１０は、通信部４３を通じて、レーザポインタ５０からのポインタ検出要求を受信すると（ステップＣ１）、レーザポインタ５０からのレーザ光により指示されたスクリーン上の位置を検出するためのポインタ検出処理を実行する（ステップＣ２）。すなわち、画像が投影されたスクリーンを撮影部４２により撮影（走査）し、レーザ光が照射されている位置を検出する。
【０１１９】
例えば、レーザポインタ５０からのレーザ光がスクリーンに照射される時の形状を予め特定の形状に決めておくことにより、撮影部４２により撮影された画像中から該当する形状を画像処理により抽出してレーザ光により指示された位置を検出することができる。また、レーザ光を特定の色にすることで、この色に基づいてレーザ光により指示された位置を検出するようにしても良い。さらに、撮影部４２では、レーザポインタ５０からのレーザ光の波長の光のみを入力して画像を撮影するように構成し、その画像中からレーザ光により指示された位置を検出するようにしても良い。
【０１２０】
制御部３９は、レーザポインタ５０により指示された位置を検出すると（ステップＣ３）、この位置とスクリーンに投影されている画像中における位置との関係より、画像中の何れの位置が指示されているかを判別し、該当位置にターゲットポインタ１を点滅表示させる（ステップＣ４）。
【０１２１】
ここで、ボタン５１（第１ボタン）に対して前述と同様の操作を行うことで、ターゲットポインタ１の位置を任意に変更することができる（ステップＣ１〜Ｃ４）。
【０１２２】
一方、ボタン５１の第２ボタンを押下する操作がされた場合、制御部５２は、入力制御部５３から第２ボタンに対する操作があったことが通知され、これに応じてプロジェクタ装置１０に対して確定指示を送信する。
【０１２３】
プロジェクタ装置１０は、通信部４３を通じて、レーザポインタ５０からの確定指示を受信すると（ステップＣ５）、ターゲットポインタ１の指定状態を示す変数Ｐが指定済みを示す「１」に設定されているかを判別する（ステップＣ６）。なお、変数Ｐの初期状態は「０」に設定されている。
【０１２４】
ここで、変数Ｐが「１」でない場合には、制御部３９は、この時のターゲットポインタ１の座標（Ｘ１，Ｙ１）をメモリに格納して、ターゲットポインタ１の位置を決定する（ステップＣ７）。制御部３９は、スクリーンに投影されている画像中にターゲットポインタ１を示すマークを付加して表示させる。（ステップＣ８）。そして、ターゲットポインタ１が指定済みであることを表すように変数Ｐを「１」に設定する（ステップＣ９）。
【０１２５】
次に、前述と同様にして、ボタン５１に対する全押し操作により、レーザ光によって示されるターゲットポインタ２の位置を検出し、該当位置にターゲットポインタ２を点滅表示させる（ステップＣ４）。ここで、ボタン５１の第２ボタンに対する操作により確定指示が受信されると（ステップＣ５）、ターゲットポインタ１の指定状態を示す変数Ｐが指定済みを示す「１」に設定されているかを判別する（ステップＣ６）。
【０１２６】
この場合、変数Ｐが「１」に設定されているため、制御部３９は、この時のターゲットポインタ２の座標（Ｘ２，Ｙ２）をメモリに格納して、ターゲットポインタ２の位置を決定する（ステップＣ１０）。
【０１２７】
こうして、レーザポインタ５０からのレーザ光によって指示された位置をターゲットポインタ１，２として設定し、それぞれの位置の座標（Ｘ１，Ｙ１）（Ｘ２，Ｙ２）を検出すると、ステップＣ１１〜Ｃ１４において、第２実施形態におけるステップＢ１５〜Ｂ１８と同様の処理を実行して、２点により指定される矩形枠内の画像を拡大して投影する。
【０１２８】
このようにして、第３実施形態では、プロジェクタ装置１０に設けられた本体メインキー／インジケータ１５に対して操作をせずに、プロジェクタ装置１０から離れた位置で装置本体とは独立して構成されたレーザポインタ５０に対する操作だけで、スクリーンに投影された画像に対して２点を指定して、拡大対象とする画像範囲を示す矩形枠を設定し、画像を拡大して投影させることができる。
【０１２９】
（第４実施形態）  
次に、本発明の第４実施形態について説明する。第３実施形態では、レーザポインタ５０によりスクリーンに投影された画像に対して、直接、レーザ光により拡大対象とする範囲を示す２点の位置を指定しているが、第４実施形態ではレーザポインタ５０によりスクリーンに投影された軌跡をもとに拡大対象とする範囲を示す２点の位置を設定する。
【０１３０】
以下、第４実施形態におけるプロジェクタ装置１０の動作について、図１０に示すフローチャートを参照しながら説明する。
【０１３１】
プロジェクタ装置１０は、例えばパーソナルコンピュータから入出力コネクタ部１８を介して画像信号を入力し、この画像信号に応じた画像をスクリーンに投影させているものとする。スクリーンに投影された画像に対しては、レーザポインタ５０のボタン５１（第１ボタン）を操作（半押し）することでレーザ光を照射し、任意に位置を指定することができる。
【０１３２】
ここで、画像を拡大（ズーム）する場合、レーザポインタ５０のボタン５１（第１ボタン）を全押し操作しながら、拡大対象とする画像の範囲を示すように、レーザ光を照射する位置を移動させる。
【０１３３】
この場合、レーザポインタ５０の制御部５２は、入力制御部５３から第１ボタンの全押し操作が通知され、これに応じてプロジェクタ装置１０に対してレーザ光出力部５４から出力されたレーザ光により指示された位置の検出要求（ポインタ検出要求）を通信部５５から送信させる。ポインタ検出要求は、ボタン５１（第１ボタン）が全押し操作されている間、継続して送信される。
【０１３４】
プロジェクタ装置１０は、通信部４３を通じて、レーザポインタ５０からのポインタ検出要求を受信すると（ステップＤ１）、レーザポインタ５０からのレーザ光により指示されたスクリーン上の位置を検出するためのポインタ検出処理を実行する（ステップＤ２）。すなわち、画像が投影されたスクリーンを撮影部４２により撮影（走査）し、レーザ光が照射されている位置を検出する。レーザ光が照射されている位置の検出は、第３実施形態と同様にして実行すれば良い。
【０１３５】
第４実施形態では、拡大対象とする画像の範囲を示すように移動されたレーザ光の位置の変化、すなわちレーザ光の軌跡を検出するため、ボタン５１が全押し操作されている間（ポインタ検出要求が受信されている間）、レーザ光により指示された位置の検出を継続して実行する。
【０１３６】
制御部３９は、レーザポインタ５０により指示された位置を検出すると、この検出されたレーザ光の軌跡を示す位置を順次記録していく（ステップＤ２，Ｄ３）。
【０１３７】
ボタン５１の全押し操作が終了され、ポインタ検出要求の受信がなくなると、制御部３９は、拡大対象とする画像の範囲の指定が終了したものと判別する（ステップＤ３、Ｙｅｓ）。
【０１３８】
制御部３９は、記憶されたレーザ光の軌跡をもとに、拡大対象とする画像の範囲を示す矩形枠を設定する（ステップＤ４）。本実施形態では、拡大対象とする画像の範囲を示す位置の指定方法として、例えば図１１（ａ）に示すように、矩形枠の対角の２点を始点と終点とする軌跡によって指定する第１の方法と、図１２（ａ）に示すように、矩形枠が外接する領域を囲む軌跡によって指定する第２の方法の何れかが用いられているものとする。
【０１３９】
第１の方法が用いられている場合、制御部３９は、図１１（ａ）に示すようなレーザ光の軌跡をもとにして、軌跡の始点と終点を対角の２点とする矩形枠を設定する。第２の方法が用いられている場合、制御部３９は、図１２（ａ）に示すようなレーザ光の軌跡をもとにして、軌跡が囲む領域に外接する矩形枠を設定する。矩形枠を構成する各辺は、Ｘ軸あるいはＹ軸と平行となるように設定される。
【０１４０】
なお、図１２（ａ）に示すレーザ光の軌跡は、一部が交差（あるいは接触）することにより領域を囲んでいるが、軌跡が交差（あるいは接触）していない場合においても矩形枠の設定ができるようにする。例えば、レーザ光の軌跡に接するＸ座標が最大及び最小のＹ軸に平行な線分と、Ｙ座標が最大及び最小のＸ軸に平行な線分により矩形枠を設定するようにしても良い。また、図１２（ｂ）に示すように、軌跡が囲む領域に外接する矩形枠を設定しているが、軌跡が囲む領域内に矩形枠を設定するようにしても良い。
【０１４１】
こうして、制御部３９は、矩形枠を設定すると、レーザ光により指定された軌跡の位置と、スクリーンに投影されている画像中における位置との関係より、画像中の何れの位置が指示されているかを判別し、該当位置に矩形枠を点滅表示させる（ステップＤ５）。
【０１４２】
ここで、ボタン５１（第１ボタン）に対して前述と同様の操作を行うことで、矩形枠の位置を任意に変更することができる（ステップＤ１〜Ｄ５）。
【０１４３】
一方、ボタン５１の第２ボタンを押下する操作がされた場合、制御部５２は、入力制御部５３から第２ボタンに対する操作があったことが通知され、これに応じてプロジェクタ装置１０に対して確定指示を送信する。
【０１４４】
プロジェクタ装置１０は、通信部４３を通じて、レーザポインタ５０からの確定指示を受信すると（ステップＤ６）、レーザ光の軌跡をもとに設定した矩形枠の位置を表すターゲットポインタ１，２を決定する。すなわち、制御部３９は、矩形枠の例えば左上頂点をターゲットポインタ１として座標（Ｘ１，Ｙ１）をメモリに格納して、ターゲットポインタ１の位置を決定する（ステップＤ７）。また、制御部３９は、矩形枠の例えば右下頂点をターゲットポインタ２として座標（Ｘ２，Ｙ２）をメモリに格納して、ターゲットポインタ２の位置を決定する（ステップＤ８）。
【０１４５】
こうして、レーザポインタ５０からのレーザ光によって指示された軌跡をもとに設定した矩形枠からターゲットポインタ１，２の位置を決定し、それぞれの位置の座標（Ｘ１，Ｙ１）（Ｘ２，Ｙ２）を検出すると、ステップＤ９〜Ｄ１２において、第２実施形態におけるステップＢ１５〜Ｂ１８と同様の処理を実行して、２点により指定される矩形枠内の画像を拡大して投影する。
【０１４６】
このようにして、第４実施形態では、プロジェクタ装置１０に設けられた本体メインキー／インジケータ１５に対して操作をせずに、プロジェクタ装置１０から離れた位置で装置本体とは独立して構成されたレーザポインタ５０に対する操作だけで、スクリーンに投影された画像に対して、図１１（ａ）あるいは図１２（ａ）に示すような軌跡をレーザ光により指定して、拡大対象とする画像範囲を示す矩形枠を設定し、画像を拡大して投影させることができる。
【０１４７】
なお、前述した第１〜第４実施形態の説明では、画像中の拡大対象する範囲（領域）を矩形によって指定しているが、その他の形状によって指定できるようにしても良い。例えば、任意に３点以上の位置を指定することにより、任意の形状の多角形によって拡大対象とする領域を指定することができる。さらに、第４実施形態では、レーザポインタ５０を用いたレーザ光による軌跡の指定により任意の形状の領域を指定することができる。
【０１４８】
こうして、任意の形状により拡大対象とする領域が指定される場合、この領域の形状に基づいて、第１〜第４実施形態と同様にして領域内の画像を拡大する基準とする長さを判別する。例えば、第４実施形態で説明したように、図１２（ｂ）に示すように、任意に指定された形状の領域に外接する矩形枠を設定し、この矩形枠の何れかの辺の長さを基準とすることができる。また、例えば、任意に指定された形状の領域に含まれる矩形枠を設定し、この矩形枠の何れかの辺の長さを基準とすることができる。領域に含まれる矩形枠は、例えば矩形枠の少なくとも１つの頂点が領域の端部と接する（一致する）ように設定されるものとする。
【０１４９】
また、前述した各実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１５０】
【図１】本発明の第１乃至第３施形態におけるプロジェクタ装置１０の外観構成を示す図。
【図２】第１乃至第３実施形態における本体メインキー／インジケータ１５の詳細な配置構成を示す図。
【図３】第１乃至第３実施形態におけるプロジェクタ装置１０の電子回路の機能構成について示すブロック図。
【図４】第１実施形態におけるプロジェクタ装置１０の動作について説明するためのフローチャート。
【図５】第１実施形態においてスクリーンに投影された画像に対してターゲットポインタ１，２を指定することにより画像を拡大（ズーム）する場合の例を示す図。
【図６】第１実施形態において２点により定義される矩形枠の縦横の拡大率の違いを説明するための図。
【図７】第１実施形態において拡大率が大きくなる辺を基準とする場合の画像の拡大を説明するための図。
【図８】第２実施形態におけるプロジェクタ装置１０の動作について説明するためのフローチャート。
【図９】第３実施形態におけるプロジェクタ装置１０の動作について説明するためのフローチャート。
【図１０】第４実施形態におけるプロジェクタ装置１０の動作について説明するためのフローチャート。
【図１１】第４実施形態におけるポインタの軌跡をもとにした矩形枠の設定例を示す図。
【図１２】第４実施形態におけるポインタの軌跡をもとにした矩形枠の設定例を示す図。
【符号の説明】
【０１５１】
１０…プロジェクタ装置、１１…本体ケーシング、１２…投影レンズ、１３…撮影レンズ、１４…Ｉｒ受信部、１５…本体メインキー／インジケータ、１５ａ…電源（ｐｏｗｅｒ）キー、１５ｂ…２点ズーム（Ｚｏｏｍ）キー、１５ｂ１…ポインタ１キー、１５ｂ２…ポインタ２キー、１５ｃ…フォーカス（Ｆｏｃｕｓ）キー、１５ｄ…「ＡＦＫ」キー、１５ｅ…「Ｉｎｐｕｔ」キー、１５ｆ…「Ａｕｔｏ」キー、１５ｐ…電源／待機インジケータ、１５ｑ…温度インジケータ、１６…スピーカ、１７…カバー、１８…入出力コネクタ部、１９…Ｉｒ受信部、２０…ＡＣアダプタ接続部、２１…固定脚部、２２…調整脚部、３１…入出力インタフェース（Ｉ／Ｆ）、３２…画像処理部、３３…表示エンコーダ、３４…ビデオＲＡＭ、３５…表示駆動部、３６…空間的光変調素子（ＳＯＭ）、３７…光源ランプ、３８…レンズ駆動部、３９…制御部、４０…画像記憶部、４１…音声処理部、４２…撮影部、４３…通信部、４５…キー／インジケータ部、５０…レーザポインタ、５１…ボタン、５２…制御部、５３…入力制御部、５４…レーザ光出力部、５５…通信部。
【図１】
2006163360.tif 000003
【図２】
2006163360.tif 000004
【図３】
2006163360.tif 000005
【図４】
2006163360.tif 000006
【図５】
2006163360.tif 000007
【図６】
2006163360.tif 000008
【図７】
2006163360.tif 000009
【図８】
2006163360.tif 000010
【図９】
2006163360.tif 000011
【図１０】
2006163360.tif 000012
【図１１】
2006163360.tif 000013
【図１２】
2006163360.tif 000014